(57)【要約】      （修正有）【課題】蓋の開閉作業を容易に行うことができる地下収納庫を提供する。【解決手段】地下収納庫Ｃは、地中に埋設される地下収納庫Ｃであって、地中に埋設され、内部に収納部を有した空間を備えた本体１と、この本体１の天井面に設けられ、人の出入りを許容する開口部３と、本体１に回動自在に支持され、開口部３を開閉する蓋５とを備え、蓋５は地表面Ｇの近傍に設けられ、蓋５の本体１の回動部位５Ａより遠い側の蓋５の先端５Ｂは、地表面Ｇに設けた排水溝６に臨んでいる。【選択図】図１
2013040456.tif 000002
【特許請求の範囲】
【請求項１】
地中に埋設される地下収納庫であって、
地中に埋設され、内部に収納部を有した空間を備えた本体と、
この本体の天井面に設けられ、人の出入りを許容する開口部と、
前記本体に回動自在に支持され、前記開口部を開閉する蓋とを備え、
前記蓋は地表面の近傍に設けられ、前記蓋の前記本体の回動部位より遠い側の前記蓋の先端は、前記地表面に設けた排水溝に臨んでいる
ことを特徴とする地下収納庫。
【請求項２】
蓋及び前記蓋と排水溝との隙間を覆うカバーを設け、
該カバーの上面と地表面とは、略同面である
ことを特徴とする請求項１記載の地下収納庫。
【請求項３】
蓋の裏面に取り付けられた被係止部と、
本体に取り付けられ、前記被係止部に係止する係止部と、
前記蓋の下方であって、平面視、前記蓋より突出しない位置であって、排水溝内に設けられた前記係止部の操作部とを備え、
前記蓋の先端は、前記排水溝に向かって下方に傾斜している
ことを特徴とする請求項１記載の地下収納庫。
【請求項４】
本体に接続され、前記本体内の空気と前記本体外の空気を連通する通路と、
この通路の前記本体に臨む本体内開口部を閉じる蓋体と、を備えている
ことを特徴とする請求項１記載の地下収納庫。
【請求項５】
地中に埋設される地下収納庫であって、
地中に埋設され、内部に収納部を有した空間を備えた本体と、
この本体の天井面に設けられ、人の出入りを許容する開口部と、
この開口部を開閉する蓋と、
前記本体に接続され、前記本体内の空気と前記本体外の空気を連通する通路と、
この通路の前記本体に臨む本体内開口部を閉じる蓋体と、
を備えていることを特徴とする地下収納庫。
【発明の詳細な説明】
【技術分野】
【０００１】
本発明は、地下収納庫に係り、特に、蓋の開閉作業を容易に行うことができる地下収納庫に関する。
【背景技術】
【０００２】
従来、地中に収納庫を埋設するようにした地下収納庫がある（例えば、特許文献１参照）。
この地下収納庫は、地中に埋設され、内部に収納部を有した空間を備えた本体と、この本体の天井面に設けられ、人の出入りを許容する開口部と、前記開口部を開閉する蓋とを備えている。
【先行技術文献】
【特許文献】
【０００３】
【特許文献１】特許第３５４５８６２号公報
【発明の概要】
【発明が解決しようとする課題】
【０００４】
ところが、上述の特許文献１記載の蓋にあっては、蓋の開閉について、具体的な記載がなく、例えば、蓋を地表面の近傍に設けると共に、前記蓋を前記本体に対して回動自在とした場合、蓋を地表面の近傍に設けた分、蓋の先端が掴みにくく、蓋の開動作がしにくいという問題点があった。
【０００５】
本発明は、前記問題点を考慮してなされたもので、蓋の開閉作業を容易に行うことができる地下収納庫を提供することを目的とする。
【課題を解決するための手段】
【０００６】
請求項１記載の地下収納庫は、地中に埋設される地下収納庫であって、地中に埋設され、内部に収納部を有した空間を備えた本体と、この本体の天井面に設けられ、人の出入りを許容する開口部と、前記本体に回動自在に支持され、前記開口部を開閉する蓋とを備え、前記蓋は地表面の近傍に設けられ、前記蓋の前記本体の回動部位より遠い側の前記蓋の先端は、前記地表面に設けた排水溝に臨んでいるものである。
【０００７】
また、請求項２記載の地下収納庫は、請求項１記載の地下収納庫において、蓋及び前記蓋と排水溝との隙間を覆うカバーを設け、該カバーの上面と地表面とは、略同面である。
【０００８】
また、請求項３記載の地下収納庫は、請求項１記載の地下収納庫において、蓋の裏面に取り付けられた被係止部と、本体に取り付けられ、前記被係止部に係止する係止部と、前記蓋の下方であって、平面視、前記蓋より突出しない位置であって、排水溝内に設けられた前記係止部の操作部とを備え、前記蓋の先端は、前記排水溝に向かって下方に傾斜しているものである。
【０００９】
また、請求項４記載の地下収納庫は、請求項１記載の地下収納庫において、本体に接続され、前記本体内の空気と前記本体外の空気を連通する通路と、この通路の前記本体に臨む本体内開口部を閉じる蓋体と、を備えているものである。
【００１０】
また、請求項５記載の地下収納庫は、地中に埋設される地下収納庫であって、地中に埋設され、内部に収納部を有した空間を備えた本体と、この本体の天井面に設けられ、人の出入りを許容する開口部と、この開口部を開閉する蓋と、前記本体に接続され、前記本体内の空気と前記本体外の空気を連通する通路と、この通路の前記本体に臨む本体内開口部を閉じる蓋体と、を備えているものである。
【発明の効果】
【００１１】
請求項１記載の地下収納庫によれば、人の出入りを許容する開口部の蓋を地表面の近傍に位置させ、蓋が露出する地表面を、例えば、駐車場等として利用でき、しかも、前記蓋は地表面に設けられ、前記蓋の先端は、前記地表面に設けた排水溝に臨んでいるため、蓋の先端を利用して（例えば、蓋の先端を掴んで、また、蓋用取っ手を掴むことにより）、蓋の開閉作業を容易に行うことができる。
【００１２】
また、請求項２記載の地下収納庫によれば、上述した請求項１記載の発明の効果に加え、蓋及び前記蓋と排水溝との隙間を覆うカバーを設け、該カバーの上面と地表面とは、略同面であるため、 蓋と排水溝との隙間に足を挟んだり、二輪車の車輪等が挟まるのを防ぐことができる。
【００１３】
また、請求項３記載の地下収納庫によれば、上述した請求項１記載の発明の効果に加え、係止部の操作部を、蓋の下方であって、平面視、蓋より突出しない位置であって、排水溝内に設け、しかも、蓋の先端は、排水溝に向かって下方に傾斜しているため、蓋に流れた雨水が操作部に当たらないようにして排水溝に導くことができる。
【００１４】
また、請求項４記載の地下収納庫によれば、上述した請求項１記載の発明の効果に加え、本体に接続され、前記本体内の空気と前記本体外の空気を連通する通路を設け、本体内に本体外の空気を取り入れることができ、しかも、通路の本体に臨む本体内開口部を蓋体で閉じることができるため、本体外の湿気多い空気、通路の中途が損傷し、損傷した部位より水が流れ込むのを防ぐことができる。
【００１５】
また、請求項５記載の地下収納庫によれば、本体に接続され、前記本体内の空気と本体外の空気を連通する通路を設け、本体内に本体外の空気を取り入れることができ、しかも、通路の本体に臨む本体内開口部を蓋体で閉じることができるため、本体外の湿気多い空気、通路の中途が損傷し、損傷した部位より水が流れ込むのを防ぐことができる。
【図面の簡単な説明】
【００１６】
【図１】図１は、本発明の一実施例の地下収納庫の概略的断面図である。
【図２】図２は、図１の２−２線による概略的断面図である。
【図３】図３は、図１の矢印Ｘ方向から見た概略的図である。
【図４】図４は、図３の矢印Ａ方向から見た概略的図である。
【図５】図５は、図３の矢印Ｂ方向から見た概略的図である。
【図６】図６は、図１の一部を拡大して示す概略的一部拡大断面図である。
【図７】図７は、図６の本体内開口部を蓋体で閉じた状態の概略的断面図である。
【図８】図８は、図１の地下収納庫と異なる他の実施例の地下収納庫の概略的断面図である。
【図９】図９は、図８の９−９線による概略的断面図である。
【図１０】図１０は、図８の地下収納庫と異なる他の実施例の地下収納庫の概略的断面図である。
【図１１】図１１は、図１０の蓋の部位の概略的平面図である。
【図１２】図１２は、図１０の一部を拡大して示す概略的一部拡大断面図である。
【図１３】図１３は、図１１の蓋の被係止部に工具の係止部が係止される前の状態を表す概略的斜視図である。
【図１４】図１４は、図１１の蓋の被係止部に工具の係止部が係止された状態を表す概略的斜視図である。
【図１５】図１５は、図１２の蓋を反時計回りに回動した状態を示す概略的断面図である。
【図１６】図１６は、図１２の蓋を矢印方向から見た概略的図である。
【図１７】図１７は、図１６の蓋の裏面に取り付けられた被係止部が移動した状態を示す概略的図である。
【図１８】図１８は、図１０の地下収納庫と異なる他の実施例の地下収納庫の概略的一部断面図である。
【図１９】図１９は、図１８のカバーを取り、操作部カバーを取り外そうとした状態の概略的斜視図である。
【図２０】図２０は、図１９の操作部カバーを取り外した状態の概略的斜視図である。
【発明を実施するための形態】
【００１７】
本発明の一実施例の地下収納庫を図面を参照して説明する。
[第１の実施例（図１乃至図７）]
図１及び図２に示すＣは、地中に埋設される地下収納庫で、地下収納庫Ｃは、地中に埋設され、内部に収納部を有した空間を備えた本体１を有する。
本体１は、例えば、鋼製で、直径約２．１ｍ、長さ約３．６ｍの略円筒形状のもので、内部は、日常生活用品（例えば、米、味噌、調味料、酒、飲料、乾物等）の備蓄庫、重要書類（例えば、保険証書、権利書、株券等）の保管場所、防災備蓄庫（例えば、飲料水、非常食、テント、寝袋、懐中電灯、ラジオ、救急箱等）、不要不急品（例えば、季節品、レジャー用品、趣味の品、コレクション等）の倉庫として、利用でき、また、本体１の上は、例えば、駐車場Ｐとしても利用することができるものである。そして、本体１の下部は、打設したコンクリート２に接続され、本体１の浮き上がりを防止している。
【００１８】
また、図１に示す３は開口部で、開口部３は、本体１の天井面に設けられ、人の出入りを許容するものである、人は、開口部３を介して、梯子４を使って、本体１の出入りを行うことができる。
開口部３は、蓋５により開閉されるもので、蓋５は本体１に回動自在に支持されている。蓋５と本体１とは、シール部材Ｓ（図３参照）により、気密性が保たれるようになっている。
蓋５は地表面Ｇの近傍に設けられ、蓋５の本体１の回動部位５Ａより遠い側の蓋５の先端５Ｂは、地表面Ｇに設けた排水溝６に臨む位置に設けられている（図１及び図３参照）。
【００１９】
従って、上述した地下収納庫Ｃによれば、人の出入りを許容する開口部３の蓋５を地表面Ｇの近傍に位置させ、蓋５が露出する地表面Ｇを、例えば、駐車場Ｐ等として利用でき、しかも、蓋５は地表面Ｇの近傍に設けられ、蓋５の先端５Ｂは、地表面Ｇに設けた排水溝６に臨んでいる。
なお、蓋５の先端５Ｂに対向する溝６との間隔Ｖは、手が入るスペースがあれば良い。その結果、蓋５の先端５Ｂを掴んで蓋５の開閉作業を容易に行うことができる。
【００２０】
また、図３乃至図５に示すように、５Ｃは、蓋５の裏面に取り付けられた被係止部で、１Ｃは、被係止部５Ｃに係止する係止部で、係止部１Ｃは、本体１に取り付けられている。１Ｄは、係止部１Ｃの操作部で、係止部１Ｃの操作部１Ｄは、本体１に取り付けられ、本体１の外側から操作するもので、図５に示すように、操作部１Ｄを時計回りに回動して係止部１Ｃを被係止部５Ｃに係止させ、操作部１Ｄを反時計回りに回動して係止部１Ｃを被係止部５Ｃから非係止させるようになっている。
係止部１Ｃの操作部１Ｄは、蓋５の下方であって、平面視、蓋５より突出しない位置であって、排水溝６内に設けられている(図３参照)。上述したように蓋５の先端５Ｂは、排水溝６に向かって下方に傾斜しているため、蓋５に流れた雨水が操作部１Ｄに当たらないようにして排水溝６に導くことができる。
なお、図４に示す１Ｄ’は、係止部１Ｃの操作を本体１の内側から行う操作部である。係止部１Ｃの操作部１Ｄ’と係止部１Ｃの操作部１Ｄとは、軸７を介して一体となって、連動するものである(図３参照)。
【００２１】
また、図１、図６及び図７に示す８は、本体１に接続され、本体１内の空気と本体１外の空気を連通する通路で、通路８により、本体１内へ本体１外の空気を取り入れるようにしている。また、９は、本体１に接続され、本体１内の空気と本体１外の空気を連通する通路で、通路９により、本体１内の空気を本体１の外へと排出するようにしている。
なお、通路８、９には、それぞれ図示しないファンを設け、本体１内の換気を行うようにしている。また、通路８の本体１に臨む本体内開口部８ａは、蓋体１０により閉じられるようになっている。同様に、通路９の本体１に臨む本体内開口部９ａは、蓋体(図示しないが、蓋体１０と同様のものである。)により閉じられるようになっている。
通路８、９を設けた結果、湿気が多い時期、通路８、９の中途が劣化、地震等により損傷した場合、本体１内に湿気、水等が入るため、これを防止するために、本体内開口部８ａを蓋体１０で、本体内開口部９ａを蓋体(図示せず)で、それぞれ閉じるようにしている。
【００２２】
[第２の実施例（図８及び図９）]
上述した第１の実施例（図１乃至図７）においては、地下収納庫Ｃを屋外に設けたが、本願発明にあっては、これに限らず、地下収納庫Ｃを家屋内にも設けることができる（図８及び図９参照）。
図８及び図９記載の地下収納庫Ｃにおいても、上述した第１の実施例（図１乃至図７）と同様に、通路８、９は、それぞれ、本体１に接続され、本体１内の空気と本体１外の空気を連通し、本体１内に本体１外の空気を取り入れることができ、しかも、通路８、９の本体１に臨む本体内開口部８ａ、９ａを蓋体（図示しないが、図６及び図７記載の蓋体１０と同様のものである。）で閉じることができるため、本体１外の湿気多い空気、通路８、９の中途が損傷し、損傷した部位より水が流れ込むのを防ぐことができる。
なお、第２の実施例（図８及び図９）においては、地下収納庫Ｃを家屋内の床材Ｆ’の下方に設け、地下収納庫Ｃの地表面Ｇよりの突出量が多い点、排気用ファンＦ”を設けた点を除けば、第１の実施例（図１乃至図７）と同様であるため、図８及び図９に同一符号を付してその説明を省略する。
【００２３】
[第３の実施例（図１０乃至図１７）]
次に述べる実施例（図１０乃至図１７）は、上述の実施例（図１乃至図９）の蓋５の裏面に取り付けられた被係止部５Ｃに係止する係止部１Ｃと異なる他の実施例を示すものである。
即ち、上述の実施例（図１乃至図９）にあっては、被係止部５Ｃを蓋５に、被係止部５Ｃに係止する係止部１Ｃを本体１にそれぞれ設けたが、実施例（図１０乃至図１７）においては、逆に、被係止部１Ｃ’を本体１に、被係止部１Ｃ’に係止する係止部５Ｃ’を蓋５にそれぞれ設けるようにしている。Ｃは、上述の実施例（図１乃至図９）と同様、地中に埋設される地下収納庫で、地下収納庫Ｃは、地中に埋設され、内部に収納部を有した空間を備えた本体１を有する。
本体１は、例えば、鋼製で、内部は、日常生活用品の備蓄庫、重要書類等の保管場所、防災備蓄庫、不要不急品の倉庫として、利用でき、また、本体１の上は、例えば、駐車場Ｐとしても利用することができるものである。そして、本体１の下部は、打設したコンクリート２に接続され、本体１の浮き上がりを防止している。
【００２４】
また、図１５に示す３は開口部で、開口部３は、本体１の天井面に設けられ、人の出入りを許容するものである、人は、開口部３を介して、梯子４を使って、本体１の出入りを行うことができる。
開口部３は、蓋５により開閉されるもので、蓋５は本体１に回動自在に支持されている。蓋５と本体１とは、シール部材Ｓ（図１２参照）により、気密性が保たれるようになっている。
蓋５は地表面Ｇの近傍に位置するように設けられ、蓋５の本体１の回動部位５Ａより遠い側の蓋５の先端５Ｂは、地表面Ｇに設けた排水溝６に臨む位置に設けられている（図１０及び図１２参照）。
なお、蓋５の先端５Ｂに対向する溝６との間隔Ｖは、手が入るスペースがあれば良い。その結果、蓋５の先端５Ｂを掴んで蓋５の開閉作業を容易に行うことができる。
また、図１５乃至図１７に示すように、５Ｃ’は、蓋５の裏面に取り付けられた係止部で、１Ｃ’は、係止部５Ｃ’に係止される被係止部で、被係止部１Ｃ’は、本体１に取り付けられている。
また、図１２に示す５Ｄ’は、係止部１Ｃ’の操作部で、係止部１Ｃ’の操作部５Ｄ’は、本体１の外側から工具Ｔ（図１３及び図１４）を使用して、例えば、平面視、時計回りに回動操作して、図１７に示すように、係止部１Ｃ’を被係止部５Ｃ’から非係止させ、逆に、操作部５Ｄ’を反時計回りに回動して、係止部１Ｃ’を被係止部５Ｃ’に係止させるようになっている。
また、係止部１Ｃ’の操作部５Ｄ’は、外側の他に、本体１の内側にハンドルＨによっても操作することができる。ハンドルＨを本体１内から見て、時計回りにハンドルＨを回動すれば、係止部１Ｃ’と被係止部５Ｃ’の係止状態(図１６参照)を解除(図１７参照)することができる。
また、図１６に示すＫは、操作部５Ｄ’と一体に回動する回動体で、リンクＬ１は、ピンＰ１により回動体Ｋに連結されている。リンクＬ２はピンＰ１によりリンクＬ１に、リンクＬ２はピンＰ３により係止部１Ｃ’に、それぞれ連結されている。
なお、本実施例においては、上述の実施例と同一部分に同一符号を付して説明の一部を省略する。
【００２５】
[第４の実施例（図１８乃至図２０）]
上述した実施例においては、蓋５と排水溝６の隙間があるため、該隙間に足を挟んだり、二輪車の車輪等が挟まる等の不具合が生じる。
かかる不具合をなくすために、本実施例（図１８乃至図２０）にあっては、蓋５及び蓋５と排水溝６との隙間を覆うカバーＦを設け、該カバーＦの上面と地表面Ｇとは、略同面となっている（図１８参照）。
また、図１８乃至図２０に示す５０、５０は、蓋５の本体１の回動部位５Ａより遠い側の蓋５の先端５Ｂに設けた蓋用取っ手であり、６０は、操作部５Ｄ’を覆って気密性を確保する操作部カバーで、該操作部カバー６０の外周には、蓋５の中央に設けられた雌ねじ５Ｃに螺合する雄ネジが設けられている。７０は、カバーＦを持ち上げる際、使用するカバー用取っ手である。
また、操作部５Ｄ’は、平面視、三角形をなし、工具Ｔ１に係合して、工具Ｔ１の回動により、上述した実施例と同様、係止部１Ｃ’と被係止部５Ｃ’の係脱するようになっている。工具Ｔ２は、操作部カバー６０の外周の雄ネジと蓋５の雌ねじ５Ｃの係脱を行うものである。
なお、本実施例においては、上述の実施例と同一部分に同一符号を付して説明の一部を省略する。
【符号の説明】
【００２６】
Ｃ      地下収納庫
１      本体
３      開口部
５      蓋
５Ａ    回動部位
５Ｂ    蓋の先端
Ｇ      地表面
【図１】
2013040456.tif 000003
【図２】
2013040456.tif 000004
【図３】
2013040456.tif 000005
【図４】
2013040456.tif 000006
【図５】
2013040456.tif 000007
【図６】
2013040456.tif 000008
【図７】
2013040456.tif 000009
【図８】
2013040456.tif 000010
【図９】
2013040456.tif 000011
【図１０】
2013040456.tif 000012
【図１１】
2013040456.tif 000013
【図１２】
2013040456.tif 000014
【図１３】
2013040456.tif 000015
【図１４】
2013040456.tif 000016
【図１５】
2013040456.tif 000017
【図１６】
2013040456.tif 000018
【図１７】
2013040456.tif 000019
【図１８】
2013040456.tif 000020
【図１９】
2013040456.tif 000021
【図２０】
2013040456.tif 000022